(57)【特許請求の範囲】
【請求項１】
接点を有するＩＣカードが挿入されるＩＣカード案内路を有するＩＣカードリーダ本体部と、
前記ＩＣカードの案内方向に沿って下側斜め方向に移動可能に設けられたＩＣ接点ホルダと、
上記ＩＣカードの接点が前記ＩＣ接点ホルダの接点部に接触した状態にて、上記ＩＣカードからの情報の読み取り開始を指示する検出スイッチと、
前記ＩＣカードリーダ本体部に当該一端を固定して設けられ、前記検出スイッチと接触状態にある弾性体と、を備え、
上記ＩＣカードが前記ＩＣカード案内路に挿入されて前進する際に、前記ＩＣ接点ホルダは、上記ＩＣカードと当接するボス部を有するＩＣカードリーダにおいて、
上記ＩＣカードが前記ＩＣカード案内路に挿入され、前記ＩＣ接点ホルダのボス部に当接した状態にて前記ＩＣ接点ホルダが前記ＩＣカード案内路を前進する際に、前記ＩＣ接点ホルダの接点部が下側斜め方向に移動して上記ＩＣカードの接点に接触した後、当該接触状態を保ちながら前記ＩＣ接点ホルダは、前記案内路を更に前進し、前記ＩＣ接点ホルダが前記弾性体の端部に当接して前記弾性体と前記検出スイッチとの接触状態が瞬間的に解かれて復帰することにより前記検出スイッチが作動することを特徴とするＩＣカードリーダ。
【請求項２】
請求項１記載のＩＣカードリーダにおいて、前記弾性体が捻りバネであることを特徴とするＩＣカードリーダ。
【発明の詳細な説明】
【０００１】
【発明の属する技術分野】
本発明は磁気ストライプやＩＣチップを設けたカードを取り扱い、情報の読み取り・書き込みを行うカードリーダおよび電子機器に関するものである。
【０００２】
【従来の技術】
従来のＩＣカードリーダは、図４に示すように、ＩＣカード１３が挿入されるカード挿入部２と、ＩＣカード１３を挿入するとＩＣカ−ドリ−ダ本体部の奥側に移動するＩＣ接点ホルダ３と、ＩＣ接点ホルダ３の移動終点位置にＩＣカード１３が所定位置まで入ったことを検出する検出スイッチ９を備えている。ＩＣカ−ド１３を挿入するとＩＣカ−ドリ−ダ奥に配設された接点ホルダ３のコンタクト４にＩＣカ−ド１３上に埋め込まれたＩＣ接点１３ａが当接する。さらに奥側に挿入することにより接点ホルダボス３ａが接点スイッチボタン９ａを押すことにより検出スイッチがＯＮされる。検出スイッチがＯＮになることにより電気的に接続されホスト側とＩＣカ−ド１３との間で情報の授受が行なわれる。
【０００３】
ＩＣカ−ドリ−ダを介してホスト側とＩＣカ−ド１３との間での情報の授受が終了すると、ＩＣカ−ド１３をＩＣカ−ドリ−ダの外へ引き抜く。
【０００４】
このとき、ＩＣ接点ホルダ３は、ＩＣ接点ホルダ１３に取り付けている戻しバネ７によりＩＣカ−ド排出側に付勢されているためＩＣカ−ド１３と伴に排出側へ移動する。その際、ＩＣ接点ホルダ３の後端部１２により押し込まれていた検出スイッチボタン９ａはカ−ド挿入前の状態（スイッチＯＦＦ）に戻る。
【０００５】
【発明が解決しようとする課題】
しかしながら、前記のような従来のＩＣカードリーダでは、ＩＣカ−ド１３がカードリーダ本体の案内路１ａの奥側に挿入されＩＣ接点ホルダ３に装着されたコンタクト４がＩＣ接点に密着して通信が可能になるのを検知するための検出スイッチ９はプリント基板１０や本体ケ−ス１等に装着されている。そして、検出スイッチ９のＯＮ／ＯＦＦはＩＣ接点ホルダ３やＩＣカ−ド１３の動きに連動してスイッチの板バネを抑えることでボタン９ａを押し込む方式であるため、ＩＣカ−ド１３の挿入停止位置のバラツキや検出スイッチボタン９ａのバネの反発力及びセット高さのバラツキ等により、検出スイッチ９のＯＮ／ＯＦＦの切り替えが行われなかったり、スイッチが解除されたりして、ＩＣカ−ド１３の読み取りができなくなることがある。また、ＩＣカ−ド１３を高速で挿入したときには強い衝撃が直接検出スイッチに伝達されスイッチが故障したり位置がずれる等の不具合が発生する。
【０００６】
本発明は、これらの課題を解決したＩＣカードリーダを提供することを目的とする。
【０００７】
【課題を解決するための手段】
上記の目的を達成するために、本発明の第１のＩＣカードリーダは、ＩＣカードが挿入されるＩＣカ−ド案内路を有するＩＣカ−ドリ−ダ本体部と、前記ＩＣカ−ドリ−ダ本体部の奥方向に移動可能に設けられＩＣカードの接点と接触する接点を保持するＩＣ接点ホルダと、ＩＣカ−ド上のＩＣ接点とＩＣカ−ドリ−ダ側の前記接点とが接触したことを認識する検出スイッチとを有し、前記検出スイッチは、前記ＩＣ接点ホルダ設けられた突起によってＯＮ／ＯＦＦすることを特徴とする。
【００１０】
【発明の実施の形態】
以下、本発明の実施形態について図面を用いて説明する。
【００１１】
図１において、ＩＣカードリーダはカードリーダ本体部１、本体ケ−スガイド溝１ａ、カード挿入部２、ＩＣ接点ホルダ３、接点ホルダボス３ａ、スイッチ切り替え用突起３ｂ、コンタクト４、カードガイド５、カード検出スイッチ６、戻しバネ７、捻りバネ８、検出スイッチ９、プリント基板１０、磁気ヘッド機構部１１で構成されている。
【００１２】
以上の構成において、カードリーダ本体部１はカード挿入されるカード案内路１ａが形成されている。上記の構成において、動作の説明をすると、ＩＣカード１３をＩＣカードリーダのカード挿入部２よりカードガイド５を押し広げながら挿入する。ＩＣカード１３は、ＩＣ接点ホルダ３の下側に突出した接点ホルダボス３ａに当接して、戻しバネ７で付勢されたＩＣ接点ホルダ３とともにＩＣカード１３の情報の読み書きが行われる位置まで挿入される。その行程の途中よりＩＣ接点ホルダ３は、ＩＣ接点ホルダ３の側面に設けられた４本のガイド突起３ｃが本体ケ−スのガイド溝１ｃに沿って移動するためこの接点ホルダ３は下降する。
【００１３】
ＩＣ接点ホルダ３に配設されたコンタクト４（板バネ構造をしている）がＩＣカ−ド１３に当接してたわむことによりＩＣカ−ド１３を本体ケース１の下方向に押さえるため、ＩＣカ−ド１３がＩＣカ−ドリ−ダ内の所定の位置に保持される。
【００１４】
図２は、ＩＣカ−ド１３がＩＣカ−ドリ−ダに挿入されていないときの状態を示している。ＩＣ接点ホルダ３のスイッチ切り替え用突起３ｂは検出スイッチ９を設置している場所よりカ−ド挿入部２方向に位置している。
【００１５】
一方、検出スイッチ９に設けられ、スイッチＯＮ時に本体ケース１の置く方向に突出するように設けられた検出スイッチ検出ボタン９ａは、本体ケース１に取り付けられた捻りバネ８のい端部によって検出スイッチ９内に押し込まれる方向（スイッチがＯＦＦする方向）に押し込まれている。
【００１６】
このときの検出スイッチボタン９ａのバネ力をＦ１とし、捻りバネ８のバネ力をＦ２とすると、Ｆ１＜Ｆ２の関係になる。捻りバネ８の代わりに板バネ・樹脂レバ−（戻しバネを付設したもの）等を使用して検出スイッチボタン９ａを押さえても同様な機能を得ることができる。
【００１７】
また、図３のようにＩＣカ−ド１３をＩＣカ−ドリ−ダ奥側に挿入した場合、ＩＣ接点ホルダ３のスイッチ切り替え用突起３ｂは検出スイッチボタン９ａに当接して付勢している捻りバネ８の端部に当接して、捻りバネ端部を検出スイッチボタン９ａから離す方向に移動するため、スイッチの切り替えが行われる。このときのスイッチの入るタイミングを詳細に説明する。ＩＣカ−ド１３がＩＣカ−ドリ−ダ奥側に押し込まれると、ＩＣカ−ド１３は接点ホルダボス３ａに当接して接点ホルダ１３を本体ケ−スのガイド溝１ｃに沿って奥側に移動しながら下降させる。そして、接点ホルダ１３に配設されたコンタクト４がＩＣカ−ド１３上のＩＣ接点１３ａに当接する。その後さらに奥側にＩＣカ−ドが押し込まれるとＩＣ接点ホルダのスイッチ切り替え用突起３ｂが検出スイッチ９ａを押さえていた捻りバネ８の端部に当接する。さらに、奥側にＩＣカ−ド１３が移動すると捻りバネ８の端部はスイッチ切り替え用突起３ｂの移動により検出スイッチボタン９ａから離れた状態になりる。検出スイッチボタン９ａが捻りバネ８に押さえられていたのが解放された瞬間に検出スイッチボタン９ａはスイッチ内のバネにより自動的に復帰する。このとき検出スイッチ９がＯＮとなり、ホスト側との情報の授受が可能になる。また、ＩＣカ−ド１３をＩＣカ−ドリ−ダから抜く際にもＩＣ接点ホルダ３がＩＣカ−ド１３とともに挿入口側に移動する。その際スイッチ切り替え用突起３ｂに押されてたわんでいた捻りバネ８の端部がもとの位置に戻り、検出スイッチボタン９ａを押し込んでスイッチをＯＦＦにする。その後接点コンタクト４がガイド溝１ｃに沿って上昇してＩＣカ−ド１３のＩＣ接点１３ａより離れる。
【００１８】
【発明の効果】
以上の説明から明らかなように、本発明にかかるＩＣカードリーダによれば、ＩＣ接点ホルダの動きに連動し、検出スイッチボタンを押さえている捻りバネを奥側へ押し込みボタンを解放する方式のため、確実に検出スイッチのＯＮ／ＯＦＦの切り替えが行われる。また、ＩＣカ−ドを高速で挿入したときに発生する強い衝撃が直接検出スイッチに伝達されないため、スイッチが故障したり、位置がずれる等の不具合は発生しないのでＩＣデ−タの情報の授受を確実に行うことができる。
【図面の簡単な説明】
【図１】  本発明にかかるＩＣカードリーダの一実施の形態を示す分解斜視図
【図２】  本発明にかかるＩＣカードリーダの一実施の形態においてＩＣカードを挿入する前の状態を示す正面図
【図３】  本発明にかかるＩＣカードリーダの一実施の形態において、ＩＣカードがＩＣカードリーダの奥まで達した状態を示す正面図
【図４】  従来品のＩＣカ−ドリ−ダのスイッチ機構を示す断面図
【図１】
0003815325.tif 000002
【図２】
0003815325.tif 000003
【図３】
0003815325.tif 000004
【図４】
0003815325.tif 000005